(57)【特許請求の範囲】
【請求項１】
圧縮機（１１）と、室外熱交換器（１３）と、膨張機構（１４）と、室内熱交換器（１５）とを接続した冷媒回路（ＲＣ）と、
上記室内熱交換器（１５）に空気を送る室内ファン（２０）および上記室外熱交換器（１３）に空気を送る室外ファン（１０）と、
室内空気の湿度を検出する湿度センサ（Ｈ）と、
上記室内熱交換器（１５）の液入口（１５１）の近くの一部が蒸発域（Ｖ）となり、この蒸発域（Ｖ）の下流側が過熱域（ＳＨ）となり、かつ、上記蒸発域（Ｖ）の大きさが除湿負荷に応じて変化するように、上記圧縮機（１１）および膨張機構（１４）を制御する除湿制御部（１００ｂ）と、
固定風量の冷房運転から、上記除湿制御部（１００ｂ）による除湿運転に切り替わったとき、上記冷房運転時の固定風量で除湿運転を行うように上記室内ファン（２０）の風量を制御する除湿風量制御部（１００ｃ）と
を備えることを特徴とする空気調和機。
【請求項２】
請求項１に記載の空気調和機において、
上記除湿風量制御部（１００ｃ）は、上記除湿運転中において圧縮機（１１）の駆動をオフしたときに、上記室内ファン（２０）の風量を直前の冷房運転時の風量に制御することを特徴とする空気調和機。
【請求項３】
請求項１または２に記載の空気調和機において、
上記除湿風量制御部（１００ｃ）は、冷房運転から除湿運転に切り替わる前の上記冷房運転時の室内ファン（２０）の風量が、室内温度センサ（Ｔ５）で検出された室内温度と、設定温度とに基づいて、自動的に設定されていたときに、上記除湿運転に切り替わったときの上記室内ファン（２０）の風量を、上記湿度センサ（Ｈ）が検出した室内の湿度に基づいて、自動的に設定することを特徴とする空気調和機。
【発明の詳細な説明】
【技術分野】
【０００１】
この発明は、除湿運転を行うことが可能な空気調和機に関する。
【背景技術】
【０００２】
従来、この種の空気調和機としては、冷房運転から除湿運転に切り替えると、室内ファンの速度を冷房運転時よりも低くし、圧縮機の回転速度も冷房運転時よりも低くし、膨張弁の開度も冷房時よりも絞り気味に設定することにより、除湿運転では冷凍能力を低く抑えつつも、室内熱交換器の温度を低くして、潜熱の比率を高めることで、除湿を行うと共に室内温度の低下を抑えるようにしたものがある（特許文献１：特開２００２−１０６９１３号公報）。
【先行技術文献】
【特許文献】
【０００３】
【特許文献１】特開２００２−１０６９１３号公報
【発明の概要】
【発明が解決しようとする課題】
【０００４】
しかしながら、上記従来の空気調和機では、冷房運転から除湿運転に切り替えると、室内ファンからの風量が冷房時に比べて大幅に減少するため、ユーザに要求風量が供給されなくて、違和感を与えると言う問題がある。
【０００５】
そこで、この発明の課題は、冷房運転から除湿運転に切り替えても、室内ファンからの風量が大幅に変化することがなくて、室内ファンから略要求風量を供給できて、違和感を生じさせない空気調和機と提供することにある。
【課題を解決するための手段】
【０００６】
上記課題を解決するため、この発明の空気調和機は、
圧縮機と、室外熱交換器と、膨張機構と、室内熱交換器とを接続した冷媒回路と、
上記室内熱交換器に空気を送る室内ファンおよび上記室外熱交換器に空気を送る室外ファンと、
室内空気の湿度を検出する湿度センサと、
上記室内熱交換器の液入口の近くの一部が蒸発域となり、この蒸発域の下流側が過熱域となり、かつ、上記蒸発域の大きさが除湿負荷に応じて変化するように、上記圧縮機および膨張機構を制御する除湿制御を行う除湿制御部と、
固定風量の冷房運転から、上記除湿制御部による除湿運転に切り替わったとき、上記冷房運転時の固定風量で除湿運転を行うように上記室内ファンの風量を制御する除湿風量制御部と
を備えることを特徴としている。
【０００７】
上記構成の空気調和機によれば、除湿運転時に、上記除湿制御部によって、除湿負荷に応じて圧縮機および電動膨張弁を制御することによって、除湿負荷に応じて室内熱交換器の液入口近くの蒸発域の大きさを変化させるので、必要最小限の冷却で除湿ができて、省エネを達成でき、また、風量によらず低負荷でも除湿量を確保でき、また、蒸発域を通る冷たい空気と過熱域を通る暖かい空気とを混ぜて快適性を向上することができる。
【０００８】
さらに、上記除湿風量制御部は、固定風量の冷房運転から、上記除湿制御部による除湿運転に切り替わったときに、上記冷房運転時の固定風量で除湿運転を行うように上記室内ファンの風量を制御するから、冷房運転から除湿運転に切り替えても、室内ファンからの風量が変化することがなくて、室内ファンから略要求風量を供給できて、違和感を生じさせない。
【０００９】
１実施形態では、
上記除湿風量制御部は、上記除湿運転中において圧縮機の駆動をオフしたときに、上記室内ファンの風量を直前の冷房運転時の風量に制御する。
【００１０】
上記実施形態によれば、上記除湿風量制御部は、上記除湿運転中において圧縮機の駆動をオフしたときに、上記室内ファンの風量を直前の冷房運転時の風量に制御するから、室内ファンの風量が急激に変化することがなくて、ユーザの要求風量になって好ましい。
【００１１】
１実施形態では、
上記除湿風量制御部は、冷房運転から除湿運転に切り替わる前の上記冷房運転時の室内ファンの風量が、室内温度センサで検出された室内温度と、設定温度とに基づいて、自動的に設定されていたときに、上記除湿運転に切り替わったときの上記室内ファンの風量を、上記湿度センサが検出した室内の湿度に基づいて、自動的に設定する。
【００１２】
上記実施形態によれば、冷房運転時の室内ファンの風量が冷房負荷に応じて自動的に設定されていたときに、上記冷房運転から除湿運転に切り替わったときに室内ファンの風量は、上記除湿風量制御部によって、上記湿度センサが検出した室内の湿度に基づいて、自動的に設定される。
【００１３】
したがって、除湿運転の除湿能力を適切に発揮することができ、かつ、室内風量が急激に変化する可能性を少なくすることができる。
【発明の効果】
【００１４】
この発明の空気調和機は、除湿制御部によって、除湿負荷に応じて圧縮機および電動膨張弁を制御することによって、除湿負荷に応じて室内熱交換器の液入口近くの蒸発域の大きさを変化させるので、必要最小限の冷却で除湿ができて、省エネを達成でき、また、風量によらず低負荷でも除湿量を確保でき、また、蒸発域を通る冷たい空気と過熱域を通る暖かい空気とを混ぜて快適性を向上することができる。
【００１５】
さらに、この発明の空気調和機は、固定風量の冷房運転から、上記除湿制御部による除湿運転に切り替わったときに、除湿風量制御部によって、上記冷房運転時の固定風量で除湿運転を行うように上記室内ファンの風量を制御するから、固定風量の冷房運転から除湿運転に切り替えても、室内ファンからの風量が変化することがなくて、室内ファンから略要求風量を供給できて、ユーザに違和感を生じさせない。
【図面の簡単な説明】
【００１６】
【図１】図１はこの発明の１実施形態の空気調和機の冷媒回路の回路図である。
【図２】図２は上記空気調和機の制御ブロック図である。
【図３】図３は除湿風量制御部の動作を示すフローチャートである。
【図４】図４は除湿風量制御部の動作を示すフローチャートである。
【発明を実施するための形態】
【００１７】
以下、この発明の空気調和機を、図示の実施形態により詳細に説明する。
【００１８】
＜構成＞
図１に示すように、この実施形態の空気調和機は、室外機１と室内機２とを備える。上記室外機１は、圧縮機１１と、四路切換弁１２と、室外熱交換器１３と、膨張機構の一例としての電動膨張弁１４と、アキュムレータ１６と、上記室外熱交換器１３に空気を送る室外ファン１０とを有する。さらに、上記室外機１は、室外熱交換器１３の温度を検出する室外熱交換器温度センサＴ１と、外気温度を検出する外気温度センサＴ２と、電動膨張弁１４の蒸発温度を検出する蒸発温度センサＴ３を有する。
【００１９】
また、上記室内機２は、室内熱交換器１５と、この室内熱交換器１５に空気を送る室内ファン２０と、室内熱交換器１５の温度を検出する室内熱交換器温度センサＴ４と、室内温度を検出する室内温度センサＴ５と、室内空気の湿度を検出する湿度センサＨとを有する。
【００２０】
上記室内熱交換器１５は、主熱交換器１５ａと補助熱交換器１５ｂとからなり、この補助熱交換器１５ｂは、室内ファン２０による空気流Ｗに関して、主熱交換器１５ａよりも上流側に位置している。上記室内熱交換器温度センサＴ４は、補助熱交換器１５ｂの上端部近く、かつ、その上端部よりも空気流Ｗの下流側に位置している。
【００２１】
上記圧縮機１１、四路切換弁１２、室外熱交換器１３、電動膨張弁１４、補助熱交換器１５ｂ、主熱交換器１５ａ、四路切換弁１２およびアキュムレータ１６を環状に接続して、冷媒回路ＲＣを構成している。
【００２２】
また、この空気調和機は、リモートコントローラ（リモコン）３０を有し、このリモコン３０で、冷房運転モード、除湿運転モードおよび暖房運転モードのいずれかの運転モードを選択して、その運転モードの運転開始操作を行ったり、運転切替操作や運転停止操作を行ったりすることができる。また、このリモコン３０で、室内温度の設定温度や目標湿度を設定できる。また、リモコン３０で、室内ファン２０の回転速度を多段階に設定して、室内ファン２０からの風量を多段階に固定し、室内ファン２０からの固定風量を、例えば、大、やや大、中、やや小、小（リモコン３０の表示では、例えば、強、やや強、中、やや弱、弱）に変化させることができる。
【００２３】
上記リモコン３０によって、冷房運転モードまたは除湿運転モードが選択されて、上記四路切換弁１２が図１に示す実線の状態に切り換えられると、圧縮機１１からの冷媒は、冷媒回路ＲＣを実線の矢印に示すように、四路切換弁１２、室外熱交換器１３、電動膨張弁１４、補助熱交換器１５ｂ、主熱交換器１５ａ、四路切換弁１２およびアキュムレータ１６の順に流れるようになっている。一方、暖房運転モードが選択されて、上記四路切換弁１２が図１に示す破線の状態に切り換えられると、圧縮機１１からの冷媒は、冷媒回路ＲＣを破線の矢印に示すように、四路切換弁１２、主熱交換器１５ａ、補助熱交換器１５ｂ、電動膨張弁１４、室外熱交換器１３、四路切換弁１２およびアキュムレータ１６の順に流れるようになっている。
【００２４】
また、この空気調和機は、制御装置１００を備え、この制御装置１００は、図２に示すように、上記室外熱交換器温度センサＴ１、外気温度センサＴ２、蒸発温度センサＴ３、室内熱交換器温度センサＴ４、室内温度センサＴ５、湿度センサＨおよびリモコン３０等からの信号に基づいて、圧縮機１１、四路切換弁１２、電動膨張弁１４、室外ファン１０、室内ファン２０等を制御する。
【００２５】
上記制御装置１００は、マイクロコンピュータと入出力回路等からなり、冷暖房制御部１００ａと、除湿制御部１００ｂと、除湿風量制御部１００ｃとを有する。上記冷暖房制御部１００ａ、除湿制御部１００ｂおよび除湿風量制御部１００ｃは、ソフトウェアにより構成されている。
【００２６】
上記冷暖房制御部１００ａは、室内温度の設定温度（目標室内温度）、室内温度センサＴ５で検出した室内温度、外気温度センサＴ２で検出した外気温度、リモコン３０からの信号等に応じて、圧縮機１１の運転周波数、電動膨張弁１４の開度、室外ファン１０および室内ファン２０の回転速度等の制御を行って、冷暖房制御を行う。この冷暖房制御には、適用可能な種々のものがあるが、いずれも周知のものであって、かつ、本発明の要旨とは関係が薄いので、詳しい説明は省略する。
【００２７】
上記除湿制御部１００ｂは、リモコン３０により除湿運転モードが選択され、かつ、除湿運転を行うときに、上記室内熱交換器１５の液入口１５１近くの部分、より具体的には、補助熱交換器１５ｂの下端の液入口１５１の近くの領域が蒸発域Ｖとなり、この蒸発域Ｖの下流側が過熱域ＳＨとなり、かつ、上記蒸発域Ｖの大きさが除湿負荷に応じて変化するように、上記圧縮機１１および電動膨張弁１４を制御する。
【００２８】
この明細書では、室内熱交換器１５の液入口１５１近くの蒸発域Ｖの大きさを除湿負荷に応じて増減するように、圧縮機１１および電動膨張弁１４を制御する除湿運転の制御のことを、除湿制御という。そして、この除湿制御を行う除湿運転を除湿運転という。
【００２９】
上記除湿風量制御部１００ｃは、図３および４のフローチャートに示す後述する制御を行なう。
【００３０】
＜冷房運転モード＞
上記構成の空気調和機において、今、リモコン３０によって、冷房運転モードが選択されたとする。
【００３１】
そうすると、四路切換弁１２が図１の実線の位置に切り換えられて、圧縮機１１が起動し、圧縮機１１から吐出された冷媒は、冷媒回路ＲＣを実線の矢印の方向に流れて、室外熱交換器１３が凝縮器として動作し、室内熱交換器１５が蒸発器として動作する。
【００３２】
そして、圧縮機１１から吐出された高温高圧の冷媒が四路切換弁１２を介して室外熱交換器１３に流入する。この室外熱交換器１３で凝縮した冷媒は、電動膨張弁１４で減圧された後に、室内熱交換器１５(補助熱交換器１５ｂおよび主熱交換器１５ａ)に入る。上記室内熱交換器１５で蒸発した冷媒が四路切換弁１２およびアキュムレータ１６を介して圧縮機１１の吸入側に戻る。
【００３３】
こうして、圧縮機１１、室外熱交換器１３、電動膨張弁１４、室内熱交換器１５およびアキュムレータ１６の順に冷媒が循環して、室内ファン２０により室内熱交換器１５を介して室内空気を循環させることにより室内を冷房する。
【００３４】
このとき、制御装置１００の冷暖房制御部１００ａは、室内温度センサＴ５で検出された室内温度が、リモコン３０で設定された設定温度（目標温度）になるように、圧縮機１１の運転周波数、電動膨張弁１４の開度等を制御する。
【００３５】
また、上記冷暖房制御部１００ａは、蒸発温度センサＴ３で検出した電動膨張弁１４の下流側の蒸発温度、室外熱交換器温度センサＴ１で検出した室外熱交換器１３の温度、室内熱交換器温度センサＴ４で検出した室内熱交換器１５の温度等が所定の温度になるように、電動膨張弁１４、室外ファン１０、室内ファン２０等を制御する。
【００３６】
より具体的には、例えば、制御装置１００の冷暖房制御部１００ａは、室内温度と設定温度との差に基づいて圧縮機１１の運転周波数を制御する。このとき、冷暖房制御部１００ａは、室内温度と設定温度との差が大きい場合に負荷が大きいことから、圧縮機１１の運転周波数が高くなるように制御する一方、室内温度と設定温度との差が小さい場合に負荷が小さいことから、圧縮機１１の運転周波数が低くなるように制御する。
【００３７】
また、制御装置１００の冷暖房制御部１００ａは、蒸発温度センサＴ３で検知される蒸発温度に基づいて電動膨張弁１４の開度を制御する。
【００３８】
また、制御装置１００の冷暖房制御部１００ａは、リモコン３０で設定された固定風量が室内ファン２０から送風されるように、室内ファン２０の回転速度を制御する。
【００３９】
＜暖房運転モード＞
今、リモコン３０によって、暖房運転モードが選択されたとすると、四路切換弁１２が図１の破線の位置に切り換えられて、圧縮機１１から吐出された冷媒は、冷媒回路ＲＣを破線の矢印の方向に流れる。
【００４０】
そして、暖房運転モード時には、圧縮機１１から吐出された冷媒は、冷房モード時とは逆方向に流れて、室内熱交換器１５が凝縮器として動作し、室外熱交換器１３が蒸発器として動作して、室内の暖房を行う。
【００４１】
これ以外の動作は、冷房モード時と大略同様で容易に類推できるので、詳しい説明は省略する。
【００４２】
＜除湿運転モード＞
今、リモコン３０で除湿運転モードが選択され、必要に応じて目標湿度が入力されると、除湿制御部１００ｂによって除湿運転が次のように行われる。
【００４３】
上記除湿制御部１００ｂは、室内熱交換器１５の液入口１５１近くの一部、より具体的には、補助熱交換器１５ｂの下端の液入口１５１の近くの領域が蒸発域Ｖとなり、この蒸発域Ｖの下流側が過熱域ＳＨとなり、かつ、上記蒸発域Ｖの大きさが除湿負荷の大小に応じて増減するように、上記圧縮機１１および電動膨張弁１４を制御する。
【００４４】
ここで、上記除湿負荷とは、予め定められた目標湿度、あるいは、入力された目標湿度によって決まる必要除湿能力に対応しており、蒸発域Ｖの大きさが除湿負荷の大小に応じて変化するとは、蒸発域Ｖに供給される熱量の大小に応じて蒸発域Ｖの大きさが増減することであって、熱量は例えば室内温度センサＴ５で検出した室内温度(吸込空気の温度)と、室内ファンの２０による室内風量によって決まる。
【００４５】
上記除湿運転モードでの除湿運転が行われているとき、補助熱交換器１５ｂの下端の液入口１５１に供給された液冷媒は、補助熱交換器１５ｂの途中で全て蒸発して、補助熱交換器１５ｂの入口近傍の範囲だけが、液冷媒が蒸発する蒸発域Ｖとなる。
【００４６】
このとき、室内熱交換器１５において、補助熱交換器１５ｂの一部だけが蒸発域Ｖとなり、補助熱交換器１５ｂの蒸発域Ｖ以外の他の部分と主熱交換器１５ａは、過熱域となる。
【００４７】
そして、補助熱交換器１５ｂの蒸発域Ｖから過熱域ＳＨを流れた冷媒が、補助熱交換器１５ｂの風下側に配置された主熱交換器１５ａを流れる。したがって、室内ファン２０によって矢印Ｗ方向に流れる室内空気は、補助熱交換器１５ｂの蒸発域Ｖで冷却されて除湿されて、主熱交換器１５ａで加熱された後、室内に吹き出す。
【００４８】
一方、他の室内空気は、補助熱交換器１５ｂの過熱域ＳＨと主熱交換器１５ａを流れた後、室内温度と略同一の温度で室内に吹き出す。
【００４９】
上記空気調和機では、冷媒回路ＲＣにおいて、電動膨張弁１４の下流側に取り付けられた蒸発温度センサＴ３(図１に示す)により蒸発温度を検知する。そして、室内機２の室内温度センサＴ５により室内温度(室内機２の吸込空気の温度)を検知すると共に、室内熱交換器温度センサＴ４により補助熱交換器１５ｂの液冷媒の蒸発が終了したことを検知する。
【００５０】
上記室内熱交換器温度センサＴ４は、補助熱交換器１５ｂの上端近くの風下側かつ主熱交換器１５ａに配置されている。そして、補助熱交換器１５ｂの上端近くの過熱域ＳＨでは、吸込空気がほとんど冷却されない。したがって、室内熱交換器温度センサＴ４で検知される温度が、室内温度センサＴ５で検知される室内温度と略同一である場合には、補助熱交換器１５ｂの途中で蒸発が終了して、補助熱交換器１５ｂの上端近くの範囲が過熱域ＳＨである。
【００５１】
そして、この空気調和機では、除湿運転モードにおいて、補助熱交換器１５ｂは、液冷媒が蒸発する蒸発域Ｖと、この蒸発域Ｖの下流側の過熱域ＳＨとを有する。この蒸発域Ｖの範囲が除湿負荷に応じて変化するように、制御装置１００の除湿制御部１００ｂによって圧縮機１１と電動膨張弁１４が制御される。ここで、除湿負荷に応じて変化するとは、蒸発域Ｖに供給される熱量に応じて変化することであって、この熱量は例えば室内温度センサＴ５で検出した室内温度(吸込空気の温度)と、室内ファンの２０による室内風量によって定まる。
【００５２】
圧縮機１１の運転周波数が制御された状態において、蒸発温度センサＴ３により検出された蒸発温度が所定の温度範囲(例えば１０℃〜１４℃)内の温度になるように、電動膨張弁１４の開度を制御する。この所定の温度範囲は、目標蒸発温度(例えば１２℃)を含むように設定する。
【００５３】
このように、除湿運転モードにおいて、除湿制御部１００ｂによって、除湿負荷に応じて圧縮機１１および電動膨張弁１４を制御することによって、除湿負荷の大小に応じて室内熱交換器１５の補助熱交換器１５ｂの蒸発域Ｖの範囲を増減変化させるので、必要最小限の冷却で潜熱を利用して除湿ができて、省エネを達成でき、また、風量によらず低負荷でも除湿量を確保でき、また、蒸発域Ｖを通る冷たい空気と過熱域ＳＨを通る暖かい空気とを混ぜて快適性を向上することができる。
【００５４】
次に、上記除湿風量制御部１００ｃの動作について、図３および４のフローチャートを参照しながら説明する。
【００５５】
図３に示すように、除湿運転モードが選択されて、除湿運転がスタートすると、冷房運転から除湿運転への切り替えであるか否かが判別される（ステップＳ１）。ステップＳ１で是と判別すると、ステップＳ２に進んで、除湿運転の直前の冷房運転が固定風量の運転であるか否かが判別される。なお、冷房運転中の固定風量および自動風量は、図示しない、メモリに記憶されている。
【００５６】
ステップＳ２で、冷房運転が固定風量の冷房運転であると判別すると、ステップＳ３に進んで、冷房運転時の固定風量で除湿運転を行うように室内ファン２０の風量を制御する。
【００５７】
このように、固定風量の冷房運転から、除湿運転に切り替わったときに、上記冷房運転時の固定風量で除湿運転を行うように、室内ファン２０の風量を制御するから、冷房運転から除湿運転に切り替わっても、室内ファン２０からの風量が変化することがなくて、室内ファン２０から略要求風量を供給できて、ユーザに違和感を生じさせることがない。
【００５８】
一方、ステップＳ１またはＳ２で否と判別すると、すなわち、冷房運転をしないで直ちに除湿運転をするとき（ステップＳ１でＮＯ）、または、冷房運転から除湿運転に切り替わる前の上記冷房運転時の室内ファン２０の風量が、室内温度センサＴ５で検出された室内温度と、設定温度とに基づいて、自動的に設定されていたとき（ステップＳ２でＮＯ）には、ステップＳ４に進んで、除湿運転に切り替わったときの室内ファン２０の風量を、湿度センサＨが検出した室内の湿度と目標湿度とに基づいて、自動的に設定する。
【００５９】
このように、冷房運転時の室内ファン２０の風量が冷房負荷に応じて自動的に設定されていたときに、冷房運転から除湿運転に切り替わったときに、室内ファン２０の風量は、湿度センサＨが検出した室内の湿度と目標湿度とに基づいて、自動的に設定する。
【００６０】
したがって、除湿運転の除湿能力を適切に発揮することができ、かつ、
室内風量が急激に変化する可能性を少なくすることができる。
【００６１】
ステップＳ３およびステップＳ４の後、図４のステップＳ５に進んで、除湿運転中にサーモオフしたか否か、つまり、上記除湿運転中において圧縮機１１の駆動をオフしたか否かを判別し、是と判別すると、ステップＳ６に進んで、除湿運転での室内ファン２０の風量を、直前の冷房運転時の風量に制御する。
【００６２】
このように、除湿運転中においてサーモオフしたときに（圧縮機１１の駆動がオフしたときに）、室内ファン２０の風量を直前の冷房運転時の風量に制御するから、室内ファン２０の風量が急激に変化することがなくて、ユーザの要求風量になって好ましい。
【００６３】
上記実施形態では、室内熱交換器１５において、主熱交換器１５ａと補助熱交換器１５ｂとを別体に形成していたが、室内熱交換器は一体構造であってもよい。室内熱交換器を一体構造にした場合は、その室内熱交換器の最風上側の部分を、補助熱交換器に対応した部分とすればよい。
【００６４】
上記実施形態および変形例で述べた構成要素は、適宜、組み合わせてもよく、また、適宜、選択、置換、あるいは、削除してもよいのは、勿論である。
【符号の説明】
【００６５】
１…室外機
２…室内機
１０…室外ファン
１１…圧縮機
１２…四路切換弁
１３…室外熱交換器
１４…電動膨張弁
１５…室内熱交換器
１５ａ…主熱交換器
１５ｂ…補助熱交換器
１６…アキュムレータ
２０…室内ファン
１００…制御装置
１００ａ…冷暖房制御部
１００ｂ…除湿制御部
１００ｃ…除湿風量制御部
Ｔ１…室外熱交換器温度センサ
Ｔ２…外気温度センサ
Ｔ３…蒸発温度センサ
Ｔ４…室内熱交換器温度センサ
Ｔ５…室内温度センサ
【図１】
0006032260.tif 000002
【図２】
0006032260.tif 000003
【図３】
0006032260.tif 000004
【図４】
0006032260.tif 000005